(57)【要約】  ビデ装置を提供する。本出願の実施例に係るビデ装置は、便器（１）に配置されるビデ本体（１０００）、前記ビデ本体（１０００）に配置され、ユーザーの局部に洗浄水を噴射するビデノズル（１１１ａ）及び前記ビデノズル（１１１ａ）と離隔し、前記ビデ本体（１０００）に配置され、ユーザーの肛門に洗浄水を噴射する洗浄ノズル（１１２ａ）を含むことができる。【選択図】図２
2019534400.tif 000002
【特許請求の範囲】
【請求項１】
便器（１）に配置されるビデ本体（１０００）；
前記ビデ本体（１０００）に配置され、ユーザーの局部に洗浄水を噴射するビデノズル（１１１ａ）；及び
前記ビデノズル（１１１ａ）と離隔し、前記ビデ本体（１０００）に配置され、ユーザーの肛門に洗浄水を噴射する洗浄ノズル（１１２ａ）；を含む、
ビデ装置。
【請求項２】
前記ビデノズル（１１１ａ）と前記洗浄ノズル（１１２ａ）は、前記ビデ本体（１０００）の中央（Ｃ）を基準に互いに反対方向に設置される、請求項１に記載のビデ装置。
【請求項３】
前記ビデ本体（１０００）に回転するように配置され、前記ビデノズル（１１１ａ）が突出する第１開口（１１１）を閉鎖するように設けられた第１カバー（１２１）；及び
前記ビデ本体（１０００）に回転するように配置され、前記洗浄ノズル（１１２ａ）が突出する第２開口（１１２）を閉鎖するように設けられた第２カバー（１２２）；をさらに含む、請求項１に記載のビデ装置。
【請求項４】
前記第１カバー（１２１）と前記第２カバー（１２２）は、互いに離隔して分離された、請求項３に記載のビデ装置。
【請求項５】
前記ビデ本体（１０００）に配置され、前記ビデノズル（１１１ａ）に洗浄水を噴射する第１洗浄部；及び
前記ビデ本体（１０００）に配置され、前記洗浄ノズル（１１２ａ）に洗浄水を噴射する第２洗浄部；をさらに含む、請求項１に記載のビデ装置。
【請求項６】
前記ビデノズル（１１１ａ）は、
前記ビデ本体（１０００）の中央（Ｃ）から５ｍｍ〜８０ｍｍ離隔された、請求項１に記載のビデ装置。
【請求項７】
前記洗浄ノズル（１１２ａ）は、
前記ビデ本体（１０００）の中央（Ｃ）から５ｍｍ〜８０ｍｍ離隔された、請求項１に記載のビデ装置。
【請求項８】
便器（１）に配置されるビデ本体（１０００）；
前記ビデ本体（１０００）に配置され、ユーザーの局部に洗浄水を噴射するビデノズル（１１１ａ）；
前記ビデ本体（１０００）に配置され、ユーザーの肛門に洗浄水を噴射する洗浄ノズル（１１２ａ）；及び
前記ビデノズル（１１１ａ）が突出する第１開口（１１１）と前記洗浄ノズル（１１２ａ）が突出する第２開口（１１２）の両方をカバーするカバー（１２０）；を含み、
前記カバー（１２０）は、前記第１開口（１１１）をカバーする第１カバー（１２１）及び前記第１カバー（１２１）とは別途形成され、前記第２開口（１１２）をカバーする第２カバー（１２２）を含む、ビデ装置。
【請求項９】
前記第１開口（１１１）と前記第２開口（１１２）は、前記ビデ本体（１０００）の下側前方に形成され、
前記カバー（１２０）は、前記ビデ本体（１０００）に結合され、前記第１開口（１１１）と前記第２開口（１１２）をカバーする、請求項８に記載のビデ装置。
【請求項１０】
前記ビデ本体（１０００）の下側前方に、前記カバー（１２０）が装着される装着部（１３０）が形成され、
前記装着部（１３０）の側面から突出し、上下方向に延びる摺動突起（１３３）が形成され、
前記カバー（１２０）には、前記摺動突起（１３３）に結合する前記摺動溝（１２３）が上下方向に延びて形成される、請求項９に記載のビデ装置。
【請求項１１】
前記カバー（１２０）は、前記装着部（１３０）に摺動可能に結合される、請求項１０に記載のビデ装置。
【請求項１２】
前記カバー（１２０）は、前記摺動溝（１２３）が形成されたカバーヘッド（１２４）；をさらに含み、
前記第１カバー（１２１）と前記第２カバー（１２２）は、それぞれ前記カバーヘッド（１２４）に回転可能にヒンジ結合される、請求項１０に記載のビデ装置。
【請求項１３】
前記第１カバー（１２１）と前記第２カバー（１２２）は、前記第１開口（１１１）と前記第２開口（１１２）をカバーする第１位置及び前記第１カバー（１２１）と前記第２カバー（１２２）がそれぞれ前記第１開口（１１１）と前記第２開口（１１２）から離隔される第２位置の間で回転移動可能な、請求項１２に記載のビデ装置。
【請求項１４】
前記カバーヘッド（１２４）の背面（１２５）には、前記背面（１２５）から突出する結合突起（１２５ａ、１２５ｂ）が一つ以上形成され、
前記装着部（１３０）には、前記結合突起が結合する結合溝（１３５ａ、１３５ｂ）が一つ以上形成された、請求項１２に記載のビデ装置。
【請求項１５】
前記第１開口（１１１）と前記第２開口（１１２）は、所定の距離離隔された、請求項８に記載のビデ装置。
【請求項１６】
前記所定の距離は１０ｍｍ〜１６０ｍｍである、請求項１５に記載のビデ装置。
【請求項１７】
前記ビデノズル（１１１ａ）と前記洗浄ノズル（１１２ａ）の外面一端をカバーするステンレス製のノズルカバー（１１３ａ、１１３ｂ）をさらに含み、
前記ノズルカバー（１１３ａ、１１３ｂ）は、前記ビデノズル（１１１ａ）と前記洗浄ノズル（１１２ａ）に取り外し可能に装着される、請求項８に記載のビデ装置。
【発明の詳細な説明】
【技術分野】
【０００１】
本出願は、洗浄ノズルとビデノズルが分離構造を有し、洗浄ノズルとビデノズルをカバーするカバーも分離構造を有するビデ装置に関する。
【背景技術】
【０００２】
便器は、ユーザーが座って用を足す機器であるが、最近では、衛生のためにビデが設置された便器が多く使用されている。ビデは用便後、ユーザーの局部に水を噴射して洗浄する装置で、トイレットペーパーを使用せずに水で洗浄するので、局部を清潔に維持する利点がある。
【０００３】
図１は、従来のビデにおいて主要構成を抜粋して概略的に示した図である。
【０００４】
図１を参照すると、ビデ１０は、便器の上部に配置される本体２０と、前記本体２０の内部に配置され、ユーザーの局部に洗浄水を噴射するノズルアセンブリ３０と、洗浄後、ユーザーの局部に暖かい空気を噴射してユーザーの局部を乾燥させる乾燥部４０で構成される。
【０００５】
ここで、前記ノズルアセンブリ３０は、ユーザーの肛門に洗浄水を噴射する洗浄ノズル３１と、女性ユーザーの局部に洗浄水を噴射するビデノズル３２で構成される。そして、前記洗浄ノズル３１とビデノズル３２は、互いに隣接して配置されており、一つのダクトを通じて伸長及び復帰されるように設けられる。
【０００６】
したがって、洗浄機能とビデ機能は、別途のノズルで行われているが、洗浄ノズル３１とビデノズル３２が一つのダクトを通じて伸長されており、ユーザーに洗浄ノズル３１とビデノズル３２が分離されていることを認知させるのに問題がある。
これにより、ビデ機能を使用する女性ユーザーがビデノズルを使用するにおいて不快感を引き起こす問題がある。
【先行技術文献】
【特許文献】
【０００７】
【特許文献１】韓国登録実用新案文献第２０−０４１４０６３号（2006.04.14）
【特許文献２】韓国登録実用新案文献第２０−０４５３００５号（2011.03.24）
【発明の概要】
【発明が解決しようとする課題】
【０００８】
本出願は、前記のような問題点を解決するために案出されたものである。具体的には、洗浄ノズルとビデノズルが離隔配置されたビデ装置と、洗浄ノズルをカバーするカバーとビデノズルをカバーするカバーが一体化したノズルカバーを提供しようとする。
【課題を解決するための手段】
【０００９】
前記のような課題を解決するための本出願の一実施例は、便器１に配置されるビデ本体１０００、前記ビデ本体１０００に配置され、ユーザーの局部に洗浄水を噴射するビデノズル１１１ａ及び前記ビデノズル１１１ａと離隔し、前記ビデ本体１０００に配置され、ユーザーの肛門に洗浄水を噴射する洗浄ノズル１１２ａを含む、ビデ装置を提供する。
【００１０】
一実施例において、前記ビデノズル１１１ａと前記洗浄ノズル１１２ａは、前記ビデ本体１０００の中央（Ｃ）を基準に互いに反対方向に設置することができる。
【００１１】
一実施例において、前記ビデ本体１０００に回転するように配置され、前記ビデノズル１１１ａが突出する第１開口１１１を閉鎖するように設けられた第１カバー１２１及び前記ビデ本体１０００に回転するように配置され、前記洗浄ノズル１１２ａが突出する第２開口１１２を閉鎖するように設けられた第２カバー１２２をさらに含むことができる。
【００１２】
一実施例において、前記第１カバー１２１と前記第２カバー１２２は、互いに離隔して分離することができる。
【００１３】
一実施例において、前記ビデ本体１０００に配置され、前記ビデノズル１１１ａに洗浄水を噴射する第１洗浄部１６０及び前記ビデ本体１０００に配置され、前記洗浄ノズル１１２ａに洗浄水を噴射する第２洗浄部１７０をさらに含むことができる。
【００１４】
一実施例において、前記ビデノズル１１１ａは、前記ビデ本体１０００の中央（Ｃ）から５ｍｍ〜８０ｍｍ離隔されてもよい。
【００１５】
一実施例において、前記洗浄ノズル１１２ａは、前記ビデ本体１０００の中央（Ｃ）から５ｍｍ〜８０ｍｍ離隔されてもよい。
【００１６】
また、本出願は、便器１に配置されるビデ本体１０００、前記ビデ本体１０００に配置され、ユーザーの局部に洗浄水を噴射するビデノズル１１１ａ、前記ビデ本体１０００に配置され、ユーザーの肛門に洗浄水を噴射する洗浄ノズル１１２ａ及び前記ビデノズル１１１ａが突出する第１開口１１１と前記洗浄ノズル１１２ａが突出する第２開口１１２の両方をカバーするカバー１２０を含み、前記カバー１２０は、前記第１開口１１１をカバーする第１カバー１２１及び前記第１カバー１２１とは別途に形成され、前記第２開口１１２をカバーする第２カバー１２２を含む、ビデ装置を提供する。
【００１７】
一実施例において、前記第１開口１１１と前記第２開口１１２は、前記ビデ本体１０００の下側前方に形成され、前記カバー１２０は前記ビデ本体１０００に結合され、前記第１開口１１１と前記第２開口１１２をカバーすることができる。
【００１８】
一実施例において、前記ビデ本体１０００の下側前方に、前記カバー１２０が装着される装着部１３０が形成され、前記装着部１３０の側面から突出し、上下方向に延びる摺動突起１３３が形成され、前記カバー１２０には、前記摺動突起１３３に結合する前記摺動溝１２３が上下方向に延びて形成することができる。
【００１９】
一実施例において、前記カバー１２０は、前記装着部１３０に摺動可能に結合することができる。
【００２０】
一実施例において、前記カバー１２０は、前記摺動溝１２３が形成されたカバーヘッド１２４をさらに含み、前記第１カバー１２１と前記第２カバー１２２は、それぞれ前記カバーヘッド１２４に回転可能にヒンジ結合することができる。
【００２１】
一実施例において、前記第１カバー１２１と前記第２カバー１２２は、前記第１開口１１１と前記第２開口１１２をカバーする第１位置及び前記第１カバー１２１と前記第２カバー１２２がそれぞれ前記第１開口１１１と前記第２開口１１２から離隔される第２位置との間で回転移動可能であり得る。
【００２２】
一実施例において、前記カバーヘッド１２４の背面１２５には、前記背面１２５から突出する結合突起１２５ａ、１２５ｂが一つ以上形成され、前記装着部１３０には、前記結合突起が結合する結合溝１３５ａ、１３５ｂが一つ以上形成されてもよい。
一実施例において、前記第１開口１１１と前記第２開口１１２は、所定の距離離隔されてもよい。
【００２３】
一実施例において、前記所定の距離は１０ｍｍ〜１６０ｍｍであってもよい。
【００２４】
一実施例において、前記ビデノズル１１１ａと前記洗浄ノズル１１２ａの外面一端をカバーするステンレス製のノズルカバー１１３ａ、１１３ｂをさらに含み、前記ノズルカバー１１３ａ、１１３ｂは、前記ビデノズル１１１ａと前記洗浄ノズル１１２ａに取り外し可能に装着することができる。
【発明の効果】
【００２５】
前記のような本出願は、次のような効果がある。
【００２６】
第一に、カバーがそれぞれビデノズルと洗浄ノズルをカバーするため、各ノズルに沈着した汚染物は、他のノズルに移染されず、衛生的である。
【００２７】
第二に、各ノズルの末端にステンレス製の取り外し可能なノズルカバーが形成されて水分により容易に腐食されず、別途に分離して洗浄が可能である。
【００２８】
第三に、ノズル間の距離が従来ビデと異なってより離隔してノズルカバーを手で取り外す際、隣接するノズルが取り外し作業を妨害することが防止される。
【００２９】
第四に、カバーがビデ本体に取り外し可能に装着されることにより、容易に洗浄が可能である。
【００３０】
第五に、カバーが摺動方式でビデ本体に装着されることにより固定力が向上し、  取り外しの時にも安定的に取り外すことができる。
【００３１】
第六に、ビデノズルと洗浄ノズルが離隔配置されており、ユーザーにビデノズルと洗浄ノズルが分離されて個別に使用されていることを認知させることができる。
【図面の簡単な説明】
【００３２】
【図１】従来のビデにおいて主要構成を抜粋して概略的に示した図である。
【図２】本出願の第１実施例に係るビデ装置において主要構成を抜粋して概略的に示した図である。
【図３】本出願の第１実施例に係るビデ装置において主要構成を抜粋して概略的に示した図である。
【図４】本出願の第２実施例に係るビデ装置を概略的に示した図である。
【図５】本出願の第２実施例に係るビデ装置を概略的に示した図である。
【図６】図４のビデ装置の主要構成を抜粋して概略的に示した図である。
【図７】図４のビデ装置の主要構成を抜粋して概略的に示した図である。
【図８】図４のビデ装置に結合されるカバーの背面斜視図である。
【図９】カバーがビデ装置に結合された様子を示した図である。
【図１０】カバーがビデ装置に結合された様子を示した図である。
【図１１】ビデノズルと洗浄ノズルの移動に応じてカバーが移動することを説明するための図である。
【発明を実施するための形態】
【００３３】
本出願の特徴に関する理解を助けるために、以下、本出願の実施例と関連したビデについてより詳しく説明する。
【００３４】
以下、説明される実施例の理解を助けるために、添付された各図面の構成要素に参照符号を付加することにおいて、同一の構成要素については、たとえ異なる図面上に表示されても、できる限り同一の符号を有するようにしていることに注意する。また、本出願の説明するにおいて、関連する公知の構成または機能に関する具体的な説明が本出願の要旨を曖昧にすると判断される場合には、その詳細な説明は省略する。
【００３５】
以下、図４及び図５においてユーザーが便器１に着座したことを仮定すると、ユーザーの上部が上側、下部が下側であり、ユーザーが見ている方向が前方、背面方向が後方であり、ユーザーの左手が位置した部分が左側、右手が位置した部分が右側であるものとして説明する。
【００３６】
１．ビデ装置の全体的な説明
図４を参照し、本出願の実施例に係るビデ装置５０００の全体的な構成を詳しく説明する。
【００３７】
図４は、本出願の一実施例に係るビデ装置５０００を概略的に示す斜視図である。
図４を参照すると、ビデ装置５０００は、便器１に固定設置されるビデ本体１０００と、ビデ本体１０００の前方側に回転可能に装着されるシート３０００と、シート３０００に回転可能に装着される蓋４０００及びビデ本体１０００の側面に装着される操作部２０００を含む。
【００３８】
操作部２０００には、水圧、水温、ビデノズルと洗浄ノズルの位置、殺菌機能などを実行できるようにするボタンが備えられる。ユーザーがボタンを押すと、ボタンに相当する機能が遂行される。
【００３９】
２．第１実施例
まず、本出願の第１実施例のビデ装置について具体的に説明する。
【００４０】
図２及び図３は、本出願の第１実施例に係るビデ装置において主要構成を抜粋して概略的に示した図である。
【００４１】
図２及び図３を参照すると、本出願の第１実施例に係るビデ装置５０００は、便器１に配置されるビデ本体１０００と、前記ビデ本体１０００に配置され、ユーザーの局部に洗浄水を噴射するビデノズル１１１ａ、そして前記ビデノズル１１１ａと離隔し、前記ビデ本体１０００に配置され、ユーザーの肛門に洗浄水を噴射する洗浄ノズル１１２ａを含む。
【００４２】
そして、前記ビデ本体１０００には、ユーザーによってビデ動作コマンドが入力されると、前記ビデノズル１１１ａが突出するように伸ばすビデノズル駆動部１４０と、洗浄動作コマンドが入力されると、前記洗浄ノズル１１２ａが突出するように伸ばす洗浄ノズル駆動部１５０が設けられる。このようなビデノズル駆動部１４０と洗浄ノズル駆動部１５０は、従来のビデ装置で使用される駆動部が適用されてもよい。
【００４３】
前記ビデノズル１１１ａと洗浄ノズル１１２ａは、一定距離離隔され、前記ビデ本体１０００に配置される。すなわち、ユーザーが離隔していることを識別し得る程度の間隔で離隔されていることが望ましい。
【００４４】
より具体的には、前記ビデノズル１１１ａは、前記ビデ本体１０００の中央（Ｃ）から５ｍｍ〜８０ｍｍ離隔された範囲（Ｒ１）内に配置され、前記洗浄ノズル１１２ａも前記ビデ本体１０００の中央（Ｃ）から５ｍｍ〜８０ｍｍ離隔された範囲（Ｒ２）内に配置されるように設けられる。
【００４５】
すなわち、前記ビデノズル１１１ａと洗浄ノズル１１２ａは、少なくとも１０ｍｍ以上離隔するように配置されるので、ユーザーが目視で確認したとき、互いに離隔していることを認知することができる。
【００４６】
そして、前記ビデノズル１１１ａと洗浄ノズル１１２ａは、前記ビデ本体１０００の中央（Ｃ）から最大８０ｍｍまで離隔配置することができる。これは、前記ビデノズル１１１ａと洗浄ノズル１１２ａが伸長される場合、便器１に干渉されずに突出することができる位置である。
【００４７】
また、ビデノズル１１１ａと洗浄ノズル１１２ａは、ビデ本体１０００の中央線上に位置するユーザーの肛門及び局部に洗浄水を容易に噴射できるようにビデ本体１０００の中央（Ｃ）を基準に互いに反対方向に設置することができる。すなわち、ビデノズル１１１ａと洗浄ノズル１１２ａをビデ本体１０００の中央（Ｃ）を基準に左側と右側にビデ本体１０００の中央（Ｃ）から離隔して配置することができる。
【００４８】
このような構造において、ビデノズル１１１ａと洗浄ノズル１１２ａがビデ本体１０００の中央線と平行に伸びる場合、ビデノズル１１１ａと洗浄ノズル１１２ａは、ユーザーの肛門及び局部の位置より左側及び右側に外れた位置に配置される。したがって、ビデノズル１１１ａと洗浄ノズル１１２ａは、便器１に着座したユーザーの肛門及び局部に洗浄水を正確に噴射できるように、それぞれが備える洗浄水の噴射口が洗浄水をユーザーの肛門及び局部に向かって傾斜して噴射するように構成することができる。
【００４９】
また、ユーザーの肛門及び局部に洗浄水を正確に噴射するための他の一例として、ビデノズル１１１ａと洗浄ノズル１１２ａが伸びた場合に洗浄水の噴射口がビデ本体１０００の中心線上に位置するようにビデノズル１１１ａ及び洗浄ノズル１１２ａがビデ本体１０００の中心線に向かって左側または右側に傾斜して伸びてもよい。
【００５０】
さらに、本出願の実施例によるビデ装置５０００は、前記ビデ本体１０００に回転するように配置され、前記ビデノズル１１１ａが突出する第１開口１１１を閉鎖するように設けられた第１カバー１２１と、前記洗浄ノズル１１２ａが突出する第２開口１１２を閉鎖するように設けられた第２カバー１２２を含むことができる。
【００５１】
すなわち、前記第１カバー１２１と第２カバー１２２は、前記ビデノズル１１１ａと洗浄ノズル１１２ａが動作せずにビデ本体１０００の内部に位置する場合、前記ビデノズル１１１ａと洗浄ノズル１１２ａが突出するために開放されている開口、すなわち、前記ビデノズル１１１ａと洗浄ノズル１１２ａのそれぞれが移動するダクトの入口を閉鎖して開口を通じてビデ本体１０００の内部に水または汚物が入ることを遮断することができる。
【００５２】
そして、前記第１カバー１２１と第２カバー１２２が回転するように締結されているので、前記ビデノズル１１１ａと洗浄ノズル１１２ａが動作して突出する場合には、前記第１カバー１２１と第２カバー１２２を押し上げながら伸びる。
【００５３】
そのような構成において、前記第１カバー１２１と第２カバー１２２は、図３に示されるように、互いに離隔して分離することができ、互いに独立して動作することができる。
【００５４】
また、本出願の実施例によるビデ装置５０００は、前記ビデ本体１０００に配置され、前記ビデノズル１１１ａに洗浄水を噴射する第１洗浄部１６０と、前記洗浄ノズル１１２ａに洗浄水を噴射する第２洗浄部１７０をさらに含むことができる。
【００５５】
すなわち、前記第１洗浄部１６０は、前記ビデ本体１０００において、前記ビデノズル１１１ａの噴射部上側に位置し、洗浄動作を実行した後、前記ビデノズル１１１ａがビデ本体１０００の内部に復帰すると、前記ビデノズル１１１ａの噴射部に洗浄水を噴射して前記ビデノズル１１１ａを洗浄するように設けられる。
【００５６】
そして、前記第２洗浄部１７０は、前記ビデ本体１０００において、前記洗浄ノズル１１２ａの噴射部上側に位置し、ビデの動作を実行した後、前記洗浄ノズル１１２ａがビデ本体１０００の内部に復帰すると、前記洗浄ノズル１１２ａの噴射部に洗浄水を噴射して前記洗浄ノズル１１２ａを洗浄するように設けられる。
【００５７】
そのような構成により、前記ビデノズル１１１ａと洗浄ノズル１１２ａは、最小１０ｍｍから最大１６０ｍｍ離隔して配置され、別途のダクトを通じてビデノズル１１１ａと洗浄ノズル１１２ａが個別に動作するので、ユーザーが洗浄機能またはビデ機能を使用するにおいて、前記ビデノズル１１１ａと洗浄ノズル１１２ａが明確に分離され、別々に動作することを認識することができる。
【００５８】
３．第２実施例
図４〜図１１を参照し、本出願の第２実施例に係るビデ装置５０００を詳しく説明する。
第１カバー１２１と第２カバー１２２が一つのカバー１２０として一体に形成される点が第１実施例と異なり、カバー１２０がビデ本体１０００に結合する方式が異なり、残りの部分は同一である。
【００５９】
図１０を参照すると、本出願の第２実施例に係るカバー１２０は、ビデ本体１０００の下部前方側に結合する。カバー１２０が装着されるビデ本体１０００の内部には、ビデノズル１１１ａと洗浄ノズル１１２ａが収容されている。
【００６０】
カバー１２０は、ビデ本体１０００に結合され、ビデノズル１１１ａが突出する第１開口１１１と洗浄ノズル１１２ａが突出する第２開口１１２の両方をカバーする部分である。そのため、ビデ本体１０００の下部前方側にカバー１２０の装着のための装着部１３０が形成される。
【００６１】
図８〜図１０を参照すると、カバー１２０は、装着部１３０に装着されるカバーヘッド１２４、カバーヘッド１２４に結合され、第１開口１１１と第２開口１１２をそれぞれカバーする第１カバー１２１と第２カバー１２２を含む。
【００６２】
第１カバー１２１と第２カバー１２２は、それぞれ第１開口１１１と第２開口１１２をカバーする部分であり、ビデノズル１１１ａと洗浄ノズル１１２ａをカバーする部分でもある。認識の利便性のために、第１カバー１２１と第２カバー１２２は、異なる色を帯びることが望ましい。
【００６３】
カバー１２０は、ビデ装置５０００を使用したり、便器１の水流しの時、水分がビデ本体５０００の内部に流入しないようにする。便器１の水を流す場合は、尿や便を排泄した後に流す場合がほとんどである。カバー１２０がなければ、尿や便が含まれている水がビデ本体１０００の内部に流入し、細菌が繁殖したり、ビデノズル１１１ａや洗浄ノズル１１２ａに沈着して汚染を誘発する。カバー１２０は、これらの尿や便が含まれている水の流入による汚染を防止する。
【００６４】
第１カバー１２１と第２カバー１２２は、別個に備えられてカバーヘッド１２４に結合される。一例として、ビデノズル１１１ａと洗浄ノズル１１２ａの前後移動に応じて回転移動が可能であるようにカバーヘッド１２４にヒンジ結合することができる。
【００６５】
具体的には、第１カバー１２１と第２カバー１２２は、第１開口１１１と第２開口１１２をカバーする第１位置及びそれぞれ前記第１開口１１１と前記第２開口１１２から離隔される第２位置の間で回転移動可能である。洗浄のためにビデノズル１１１ａと洗浄ノズル１１２ａが前方に移動した場合には、第１カバー１２１と第２カバー１２２は第２位置に位置し、洗浄を終えてノズル収容本体１１０に収容された状態では第１位置に位置するようになる（図１１を参照）。
【００６６】
ビデノズル１１１ａまたは洗浄ノズル１１２ａを通じて洗浄が行われて後、ノズルに異物が含まれている水と、ノズルの表面に残っている洗浄残留物などが残存するようになる。
【００６７】
洗浄操作の実行時にビデノズル１１１ａと洗浄ノズル１１２ａは前方に移動しながら、第１カバー１２１と第２カバー１２２を押し上げ、第１カバー１２１と第２カバー１２２を回転させる。そのとき、ノズルの表面に残存する異物がカバーに沈着されるが、第１カバー１２１と第２カバー１２２がそれぞれビデノズル１１１ａと洗浄ノズル１１２ａをカバーするので、一つのカバーを使用するときよりも衛生的にビデ装置を使用することができる。
【００６８】
たとえば、ユーザーが男性である場合、ビデ機能は使用せず、洗浄機能のみを使用するはずであるが、カバーが１つの場合であれば、洗浄機能のみを使用してもカバー全体が汚染される。本出願は、２つのカバーがそれぞれのノズルをカバーすることにより、そのような汚染を防止することができる。
【００６９】
第１実施例と同様に、第２実施例のビデ装置５０００も、ビデノズル１１１ａと洗浄ノズル１１２ａが離隔されるのが望ましい。
【００７０】
すなわち、ユーザーが離隔していることを識別できる程度の間隔で離隔されることが望ましい。
【００７１】
より具体的には、前記ビデノズル１１１ａは、前記ビデ本体１０００の中央（Ｃ）から５ｍｍ〜８０ｍｍ離隔された範囲（Ｒ１）内に配置され、前記洗浄ノズル１１２ａも前記ビデ本体１０００の中央（Ｃ）から５ｍｍ〜８０ｍｍ離隔された範囲（Ｒ２）内に配置されるように設けることができる。
【００７２】
すなわち、前記ビデノズル１１１ａと洗浄ノズル１１２ａは、少なくとも１０ｍｍ以上離隔するように配置されるので、ユーザーが目視で確認したとき、互いに離隔していることを認知することができる。
【００７３】
そして、前記ビデノズル１１１ａと洗浄ノズル１１２ａは、前記ビデ本体１０００の中央（Ｃ）から最大８０ｍｍまで離隔配置することができる。これは、前記ビデノズル１１１ａと洗浄ノズル１１２ａが伸長される場合、便器１に干渉されずに突出できる位置である。
【００７４】
また、ビデノズル１１１ａと洗浄ノズル１１２ａは、ビデ本体１０００の中央線上に位置するユーザーの肛門及び局部に洗浄水を容易に噴射できるようにビデ本体１０００の中央（Ｃ）を基準に互いに反対方向に設置することができる。すなわち、ビデノズル１１１ａと洗浄ノズル１１２ａをビデ本体１０００の中央（Ｃ）を基準に左側と右側にビデ本体１０００の中央（Ｃ）から離隔して配置することができる。
【００７５】
また、本出願の実施例に係るビデノズル１１１ａと洗浄ノズル１１２ａの前方側にはビデノズル１１１ａと洗浄ノズル１１２ａの外面一端をカバーするノズルカバー１１３ａ、１１３ｂが形成される（図１１を参照）。ノズルカバー１１３ａ、１１３ｂは、水に容易に露出される部分であるため、水に接触されても腐食が起こらないステンレス製であることが望ましい。
【００７６】
ノズルカバー１１３ａ、１１３ｂは、ビデノズル１１１ａと洗浄ノズル１１２ａの前方側の一端をカバーするため、汚染物が最も多く沈着する部分である。したがって、ノズルカバー１１３ａ、１１３ｂは、ビデノズル１１１ａと洗浄ノズル１１２ａから分離可能に、各ノズルに装着されることが望ましい。
【００７７】
具体的には、ノズルカバー１１３ａ、１１３ｂを手で把持したまま時計回りまたは反時計回りに回転させると、ビデノズル１１１ａと洗浄ノズル１１２ａから分離することができる。分離されたノズルカバー１１３、１１３ｂは、別途の洗浄が可能になる。
【００７８】
ノズルカバー１１３ａ、１１３ｂをノズルから分離させるためには、手でノズルカバー１１３ａ、１１３ｂを把持して回転させる作業が必要である。そのため、本出願の実施例に係るノズルカバー１０００は、ビデノズル１１１ａと洗浄ノズル１１２ａを所定の距離離隔させてノズルカバー１１３ａ、１１３ｂの把持作業をより容易にした。ビデノズル１１１ａと洗浄ノズル１１２ａが近すぎて位置すると、ノズルカバー１１３ａ、１１３ｂの把持自体が困難であるからである。
【００７９】
以下において、図７〜図１０を参照し、本出願の第２実施例に係るカバー１２０がビデ本体１０００に結合し、第１開口１１１と第２開口１１２をカバーすることについて具体的に説明する。
【００８０】
前述したように、ビデ本体１０００の前方下側の一端にはカバー１２０が装着される装着部１３０が形成される。
【００８１】
カバー１２０は、装着部１３０に上側から下側方向に摺動結合されるが、これを具体的に説明する。
【００８２】
装着部１３０の側面１３１には、側面１３１から突出し、上下方向に延びる摺動突起１３３が形成される。
【００８３】
装着部１３０に装着されるカバー１２０のカバーヘッド１２４には、摺動突起１３３に摺動可能に結合する摺動溝１２３が上下方向に延長されて形成される。
【００８４】
したがって、カバー１２０は、装着部１３０に対して上側から下側方向に結合され、摺動突起１３３と摺動溝１２３が互いに噛み合ってカバー１２０が装着部１３０に固定される。
【００８５】
また、カバーヘッド１２４の背面１２５には、背面１２５から突出する結合突起１２５ａ、１２５ｂが一つ以上形成され、装着部１３０には、結合突起１２５ａ、１２５ｂが結合される結合溝１３５ａ、１３５ｂが一つ以上形成される（図６〜図８を参照）。
【００８６】
カバー１２０が装着部１３０に対して最大摺動可能な位置まで下側に移動した場合、カバー１２０の結合突起１２５ａ、１２５ｂが装着部１３０の結合溝１３５ａ、１３５ｂに挿入され、カバー１２０の装着部１３０への装着が完了する。
【００８７】
以上、本明細書には、本出願を当業者が容易に理解して再現できるように、図面に示した実施例を参考にして説明したが、これは、例示的なものに過ぎず、当業者であれば、本出願の実施例から、様々な変形及び均等な他の実施例が可能であるという点を理解できるだろう。したがって、本出願の保護範囲は、特許請求の範囲によって定められなければならない。
【符号の説明】
【００８８】
１：便器
１１１：第１開口
１１１ａ：ビデノズル
１１２：第２開口
１１２ａ：洗浄ノズル
１２０：カバー
１２１：第１カバー
１２２：第２カバー
１２３：摺動溝
１２４：カバーヘッド
１２５：背面
１２５ａ、１２５ｂ：結合突起
１３０：装着部
１３３：摺動突起
１３５ａ、１３５ｂ：結合溝
１０００：ビデ本体
２０００：操作部
３０００：シート
４０００：蓋
５０００：ビデ装置
【図１】
2019534400.tif 000003
【図２】
2019534400.tif 000004
【図３】
2019534400.tif 000005
【図４】
2019534400.tif 000006
【図５】
2019534400.tif 000007
【図６】
2019534400.tif 000008
【図７】
2019534400.tif 000009
【図８】
2019534400.tif 000010
【図９】
2019534400.tif 000011
【図１０】
2019534400.tif 000012
【図１１】
2019534400.tif 000013
【国際調査報告】
2019534400.tif 000014
2019534400.tif 000015
2019534400.tif 000016
2019534400.tif 000017